(57)【特許請求の範囲】
【請求項１】
回転体を回転させる軸部材が軸受け部によって保持された回転型電気部品と、前記軸部材に取り付けた摘みを照光する照光手段とを備え、前記軸部材は、金属材からなる第１軸部と、この第１軸部の前方部に結合された透明な合成樹脂からなる第２軸部とで構成され、前記第１軸部が前記軸受け部によって支承されると共に、前記第２軸部に前記摘みを取り付けたことを特徴とする回転型電気部品の照光構造。
【請求項２】
前記第１軸部には、前記軸受け部の前端部に係合可能な係合部を設け、前記軸部材が軸線方向に移動した時、前記係合部が前記軸受け部の前端部に係止して、前記軸部材の軸線方向の移動を阻止するようにしたことを特徴とする請求項１記載の回転型電気部品の照光構造。
【請求項３】
前記係合部は、前記軸受け部の孔に位置する前記第１軸部の小径部よりも大きな径を有する鍔部で形成したことを特徴とする請求項２記載の回転型電気部品の照光構造。
【請求項４】
前記第１軸部の前方部には、溝部と非円形部とが設けられ、前記第２軸部が前記溝部と前記非円形部との外周部に跨って、前記第１軸部の前方部に成型によって形成されたことを特徴とする請求項１から３の何れかに記載の回転型電気部品の照光構造。
【請求項５】
前記第１軸部の後方部は、前記回転体と凹凸嵌合により結合され、前記第１軸部の回転で前記回転体を回転するようにしたことを特徴とする請求項１から４の何れかに記載の回転型電気部品の照光構造。
【請求項６】
前記照光手段の照光部が前記第１軸部の前端部の近傍、又は前記照光部の少なくとも前端部が前記第１軸部の前端部を越えて前記摘み側に位置したことを特徴とする請求項１から５の何れかに記載の回転型電気部品の照光構造。
【発明の詳細な説明】
【０００１】
【発明の属する技術分野】
本発明は、オーディオ機器等に使用して好適な回転型電気部品の照光構造に関する。
【０００２】
【従来の技術】
従来の回転型電気部品の照光構造において、プリント基板に取り付けられた可変抵抗器等の回転型電気部品は、摺動子を取り付けた回転体と軸部材とが透明な合成樹脂の成型品で一体に形成されると共に、この軸部材が金属材からなる軸受け部によって回転可能に支承されている。
【０００３】
また、軸部材の前方部には摘みが取り付けられ、プリント基板に取り付けられた照光手段によって、透明な軸部材と摘みが照射されて、摘みの前面中央部をむら無く照光するようになっている。
【０００４】
そして、摘みを回転すると、軸部材を介して回転体が回転して、回転型電気部品の操作が行われるが、合成樹脂からなる軸部材は、金属材からなる軸受け部との間で摺動摩耗が著しく、また、軸部材と回転体とが一体に形成されているため、摘みの操作途上において、軸線方向の力がかかった際、その力が軸部材を介して回転体に直接伝達され、その結果、回転体によって、摺動子が軸線方向に押し付けられて、摺動子にへタリを生じるものであった。
【０００５】
【発明が解決しようとする課題】
従来の回転型電気部品の照光構造は、回転体と一体に形成された合成樹脂からなる軸部材が軸受け部によって支承されたものであるため、軸部材の回転操作時、金属材からなる軸受け部との間で摺動摩耗が著しく、長期の使用に耐えないという問題がある。
また、軸部材と回転体とが一体に形成されているため、摘みに軸線方向の力がかかった際、その力が軸部材を介して回転体に直接伝達され、その結果、回転体によって、摺動子が軸線方向に押し付けられて、摺動子にへタリを生じるという問題があった。
【０００６】
そこで、本発明は長寿命で、摺動子のヘタリの無い回転型電気部品の照光構造を提供することを目的とする。
【０００７】
【課題を解決するための手段】
上記課題を解決するための第１の解決手段として、回転体を回転させる軸部材が軸受け部によって保持された回転型電気部品と、前記軸部材に取り付けた摘みを照光する照光手段とを備え、前記軸部材は、金属材からなる第１軸部と、この第１軸部の前方部に結合された透明な合成樹脂からなる第２軸部とで構成され、前記第１軸部が前記軸受け部によって支承されると共に、前記第２軸部に前記摘みを取り付けた構成とした。
【０００８】
また、第２の解決手段として、前記第１軸部には、前記軸受け部の前端部に係合可能な係合部を設け、前記軸部材が軸線方向に移動した時、前記係合部が前記軸受け部の前端部に係止して、前記軸部材の軸線方向の移動を阻止するようにした構成とした。
【０００９】
また、第３の解決手段として、前記係合部は、前記軸受け部の孔に位置する前記第１軸部の小径部よりも大きな径を有する鍔部で形成した構成とした。
また、第４の解決手段として、前記第１軸部の前方部には、溝部と非円形部とが設けられ、前記第２軸部が前記溝部と前記非円形部との外周部に跨って、前記第１軸部の前方部に成型によって形成された構成とした。
【００１０】
また、第５の解決手段として、前記第１軸部の後方部は、前記回転体と凹凸嵌合により結合され、前記第１軸部の回転で前記回転体を回転するようにした構成とした。
また、第６の解決手段として、前記照光手段の照光部が前記第１軸部の前端部の近傍、又は前記照光部の少なくとも前端部が前記第１軸部の前端部を越えて前記摘み側に位置した構成とした。
【００１１】
【発明の実施の形態】
本発明の回転型電気部品の照光構造の図面について説明すると、図１は本発明の回転型電気部品の照光構造を示す一部断面側面図、図２は本発明の回転型電気部品の照光構造を示す要部の拡大断面図である。
【００１２】
次に、本発明の回転型電気部品の照光構造の構成を図１，図２に基づいて説明すると、プリント基板１に取り付けられた可変抵抗器等の回転型電気部品２は、抵抗体（図示せず）に接続された端子３を取り付けた絶縁材からなるケース４と、このケース４の前面に配置されたダイキャスト等の金属材からなる軸受け部５と、この軸受け部５をケース４に取り付ける金属板からなる取付板６と、下面に摺動子７が取り付けられ、ケース４内に回転可能に収納された合成樹脂からなる回転体８と、この回転体８に結合され、軸受け部５の孔５ａに支承された軸部材９とで構成されている。
【００１３】
また、軸部材９は、アルミ等の金属材からなる第１軸部１０と、この第１軸部１０の前方部において、第１軸部１０がインサート成型された透明な合成樹脂の成型によって結合された第２軸部１１とで構成されている。
そして、前記第１軸部１０は、軸受け部５の孔５ａに支承される小径部１０ａと、この小径部１０ａの前方部に設けられ、軸受け部５の前端部５ｂと係合可能で、小径部１０ａよりも径の大きな鍔部からなる係合部１０ｂと、この係合部１０ｂの前方部に設けられ、外周部に平坦部１０ｃを設けて外形がＤ字状をなした非円形部１０ｄと、係合部１０ｂと非円形部１０ｄとの間に設けられた溝部１０ｅを有する。
【００１４】
また、第１軸部１０の後方部には、小径部１０ａから軸線方向に延びる突部１０ｆと、小径部１０ａに隣接して突部１０ｆの外周部に設けられたリング状の凹部１０ｇと、突部１０ｆの軸線方向Ｇに設けられた凹部１０ｈとを設けて構成されている。
【００１５】
そして、透明な合成樹脂からなる第２軸部１１は、第１軸部１０の非円形部１０ｄと溝部１０ｅの外周全体と、軸受け部５の前端部５ｂと係合する箇所を除く係合部１０ｂの外周部とを覆うと共に、軸部材９から前方部に突出するように成型加工により形成されている。
【００１６】
このように成型によって第１軸部１０と第２軸部１１とが結合された際、第２軸部１１の回転時においては、非円形部１０ｄによって、回転方向に遊びを生じることなく、第１軸部１０に回転伝達が行え、また、第２軸部１１に軸線方向Ｇの力がかかった場合においては、溝部１０ｅによって、第２軸部１１が第１軸部１０から抜け出ることが無く、且つ、第２軸部１１の軸線方向Ｇの力を第１軸部１０に伝達できるものである。
【００１７】
また、このように第１，第２軸部１０，１１が結合されてなる軸部材９は、軸受け部５の前方部から第１軸部１０の突部１０ｆを孔５ａに挿通し、軸受け部５の後方側で、金属材からなるＣリングからなる抜け止め部１２を凹部１０ｇに嵌入して、軸部材９が軸受け部５に取り付けられている。
【００１８】
そして、軸部材９が軸受け部５に取り付けられた際、軸部材９が軸線方向Ｇに後方側へ移動した時は、係合部１０ｂが軸受け部５の前端部５ｂにぶつかって係止して、軸部材９の後方への移動が阻止され、また、軸部材９が軸線方向Ｇに前方側へ移動した時は、抜け止め部１２が軸受け部５の後方部にぶつかって係止して、軸部材９の前方への移動が阻止され、更に、軸部材９のこの移動の範囲においては、小径部１０ａが軸受け部５の孔５ａ内に位置して、第１軸部１０を回転可能に支承している。
なお、係合部１０ｂが軸受け部５の前端部５ｂにぶつかる際、及び、抜け止め部１２が軸受け部５の後方部に当接する際、前者においては両者とも金属材であり、また、後者においても、抜け止め部１２と、凹部１０ｇを設けた第１軸部１０と、軸受け部５が何れも金属材で形成されているため、押し強度と引き強度を高めることができる。
【００１９】
また、回転体８は、図２に示すように、回転部８ａと一体の凸部８ｂを有し、この凸部８ｂが第１軸部１０の凹部１０ｈに嵌合して、両者が凹凸嵌合により結合され、軸部材９が回転した時、第１軸部１０を介して回転体８が回転すると共に、摺動子７を回転して、その結果、回転型電気部品２の操作を行うようになっている。
なお、第１軸部１０と回転体８との凹凸嵌合は、第１軸部１０に凸部を設けると共に、回転体８に凹部を設けて、前記実施例と逆の関係による凹凸嵌合にしても良い。
【００２０】
また、回転体８が第１軸部１０に嵌合された際、第１軸部１０は、摺動子７，或いはクリック用のバネ部材（図示せず）等によって軸線方向Ｇに前方部へ押圧されて、抜け止め部１２が軸受け部５にぶつかり、軸部材９の軸線方向Ｇへのガタツキが防止されたものとなっている。
なお、場合によっては図２に示すように、回転体８と第１軸部１０との間において、第１軸部１０の軸線方向Ｇの移動に際して、回転体８の軸線方向Ｇへの移動を伴わない状態の凹凸嵌合にしても良い。
【００２１】
また、摘み１３は、二色成型による成型品で形成され、中央部に位置した透明部１３ａと、この透明部１３ａを囲むように設けられた不透明部１３ｂとを有し、透明部１３ａの表面は、文字、或いは図形等の表示部のみからなる光りが目視できるように、不透明部１３ｂと同色の不透明な塗料が塗布されている（図示省略）。
この摘み１３は、透明部１３ａの中心部に設けられた非円形の孔１３ｃに、第２軸部１１の前方部に設けられた非円形部１１ａを圧入して、摘み１３が軸部材９に取り付けられている。
【００２２】
また、ＬＥＤ等からなる照光手段１４は、照光部１４ａと、この照光部１４ａから導出された端子部１４ｂを有し、この照光手段１４は、照光部１４ａを透明部１３ａの後部側に近接した状態で、端子部１４がプリント基板１に取り付けられている。
そして、照光手段１４がプリント基板１に取り付けられた際、照光部１４ａが第１軸部１０の前方端の近傍、或いは照光部１４ａの少なくとも前方側の一部が第１軸部１０の前方端を越えて摘み１４側に位置した状態となっている。
【００２３】
その結果、照光部１４ａの照射時において、金属材からなる不透明な第１軸部１０の影響を受けることなく、透明な第２軸１１と透明な透明部１３ａが照射されて、摘み１３の前面部を、より明るく照光できるものとなる。
また、このように照光部１４ａを摘み１４に近づけることにより、摘み１３の前面部を、一層、明るく照光できるものとなる。
【００２４】
そして、このような構成を有する本発明の回転型電気部品の照光構造における動作を説明すると、先ず、摘み１４を回転すると、第２軸部１１を介して第１軸部１０が回転すると共に、凹凸嵌合部を介して回転体８が回転し、その結果、回転型電気部品２が操作される。
また、摘み１４の回転時、軸受け部５の孔５ａには、金属材の第１軸部１０の小径部１０ａが支承されているため、その摩耗が少なく、長寿命のものが得られるものである。
【００２５】
また、摘み１４の操作時において、軸線方向Ｇの後方側に力がかかった際、摘み１４と共に第１軸部１０が軸線方向Ｇに移動して、係合部１０ｂが軸受け部５の前端部５ｂとぶつかって、軸部材９の軸線方向Ｇの移動が阻止されるようになり、これによって、摺動子７のヘタリが防止できて、長期にわたって正確な回転型電気部品２の操作ができるものである。
【００２６】
なお、前記実施例では、回転型電気部品２の単体で説明したが、この回転型電気部品２とプッシュスイッチとが組み合わされたプッシュスイッチ付回転型電気部品でも良く、このプッシュスイッチ付回転型電気部品においては、回転体８ａと凸部８ｂをスプライン結合し、軸部材９の軸線方向Ｇへの移動によって、凸部８ｂの後端部がプッシュスイッチを操作する。
この際においても、軸部材９の軸線方向Ｇの移動は、第１軸部１０の係合部１０ｂが軸受け部５の前端部５ｂに係止して、ストップするようになるものであり、プッシュスイッチの破損を防ぐことができる。
【００２７】
【発明の効果】
本発明の回転型電気部品の照光構造において、軸部材９は、金属材からなる第１軸部１０と、この第１軸部１０の前方部に結合された透明な合成樹脂からなる第２軸部１１とで構成され、第１軸部１０が軸受け部５によって支承されると共に、第２軸部１１に摘み１３を取り付けたため、透明な第２軸部１１によって、摘み１３の前面部を確実に照光できると共に、摘み１３の回転時、軸受け部５と間における金属材からなる第１軸部１０の摺動摩耗が少なく、従って、寿命の長い回転型電気部品の照光構造を提供できる。
【００２８】
また、第１軸部１０には、軸受け部５の前端部５ｂに係合可能な係合部１０ｂを設け、軸部材９が軸線方向Ｇに移動した時、係合部１０ｂが軸受け部５の前端部５ｂに係止して、軸部材９の軸線方向Ｇの移動を阻止するようにしたため、軸部材９の軸線方向Ｇへの移動による摺動子７のヘタリ等を防止できて、長期にわたって正確な回転型電気部品の操作ができるものを提供できる。
また、プッシュスイッチ付回転型電気部品においても、軸受け部５の前端部５ｂに、金属材からなる第１軸部１０の係合部１０ｂを係合させることによって、軸部材９が損傷することのない、軸線方向Ｇにおけるストッパーを提供できるので、プッシュスイッチの破損を防止できる。
【００２９】
また、係合部１０ｂは、軸受け部５の孔５ａに位置する第１軸部１０の小径部１０ａよりも大きな径を有する鍔部で形成したため、その構成が簡単であると共に、軸押し強度の強い軸部材９の移動阻止構造を提供できる。
【００３０】
また、第１軸部１０の前方部には、溝部１０ｅと非円形部１０ｄとが設けられ、第２軸部１１が溝部１０ｅと非円形部１０ｄとの外周部に跨って、第１軸部１０の前方部に成型によって形成されたため、非円形部１０ｄによって、第１軸部１０と第２軸部１１との間で、回転方向に遊びを生じることなく、且つ、溝部１０ｅによって、第２軸部１１が第１軸部１０から抜け出ることの無いものを、簡単な構成で提供できる。
【００３１】
また、第１軸部１０の後方部は、回転体８と凹凸嵌合により結合され、第１軸部１０の回転で回転体８を回転するようにしたため、第１軸部１０と回転体８の結合が簡単で、組立性の良好なものを提供できる。
また、回転体８と第１軸部１０との間において、第１軸部１０の軸線方向Ｇの移動に際して、回転体８の軸線方向Ｇへの移動を伴わない状態の結合が凹凸嵌合によって簡単に得ることができる。
【００３２】
また、照光手段１４の照光部１４ａが第１軸部１０の前端部の近傍、又は照光部１４ａの少なくとも前端部が第１軸部１０の前端部を越えて摘み１３側に位置したため、照光部１４ａの照射時において、金属材からなる不透明な第１軸部１０の影響を受けることなく、透明な第２軸１１と透明な透明部１３ａが照射されて、摘み１３の前面部を、より明るく照光できるものが提供できる。
また、このように照光部１４ａを摘み１４に近づけることにより、摘み１３の前面部を、一層、明るく照光できるものが提供できる。
【図面の簡単な説明】
【図１】本発明の回転型電気部品の照光構造を示す一部断面側面図。
【図２】本発明の回転型電気部品の照光構造を示す要部の拡大断面図。
【符号の説明】
１  プリント基板
２  回転型電気部品
３  端子
４  ケース
５  軸受け部
５ａ  孔
５ｂ  前端部
６  取付板
７  摺動子
８  回転体
８ａ  回転部
８ｂ  凸部
９  軸部材
１０  第１軸部
１０ａ  小径部
１０ｂ  係合部
１０ｃ  平坦部
１０ｄ  非円形部
１０ｅ  溝部
１０ｆ  突部
１０ｇ  凹部
１０ｈ  凹部
１１  第２軸部
１１ａ  非円形部
１２  抜け止め部
１３  摘み
１３ａ  透明部
１３ｂ  不透明部
１４  照光手段
１４ａ  照光部
１４ｂ  端子部
Ｇ  軸線方向
【図１】
0003692015.tif 000002
【図２】
0003692015.tif 000003